(57)【要約】【課題】駆動軸に取付けられた第１の継ぎ手部材と、従動軸に取付けられた第２の継ぎ手部材との結合を容易に行なえるようにした継ぎ手装置を提供することにある。【解決手段】駆動軸３８に取付けられる第１の継ぎ手部材４１と、第２の取付け軸４８に取付けられ第１の継ぎ手部材に連結されて回転駆動源３７の回転を第２の取付け軸に伝達するための第２の継ぎ手部材６１を具備し、第１、２の継ぎ手部材は、各軸に取付けられる取付け孔４１ｂ，６１ｂが形成された本体部４１ａ，６１ａと、本体部の端面に周方向に１８０度の範囲にわたって互いに逆方向に傾斜して形成された一対の斜面４１ｃ，６１ｃと、一対の斜面の傾斜方向上端となる頂部に対応する部位に本体部の軸方向沿って形成された一対の垂直面４１ｅ，６１ｅを有する。【選択図】      図５
2010078011.tif 000002
【特許請求の範囲】
【請求項１】
回転駆動源の回転駆動される駆動軸の回転を従動軸に伝達するための継ぎ手装置であって、
上記駆動軸に取付けられる第１の継ぎ手部材と、
上記従動軸に取付けられ上記第１の継ぎ手部材に連結されて上記駆動源の回転を上記従動軸に伝達するための第２の継ぎ手部材を具備し、
上記第１の継ぎ手部材と第２の継ぎ手部材は、
上記各軸に取付けられる取付け孔が形成された本体部と、
上記本体部の端面に周方向に等角度で互いに逆方向に傾斜して形成された２つで対をなす複数対の斜面と、
各斜面の傾斜方向上端となる頂部に対応する部位に上記本体部の軸方向に沿って形成された複数の垂直面を有し、
上記第１の継ぎ手部材と第２の継ぎ手部材は、一方の本体部に形成された複数の斜面に他方の本体部に形成された斜面の頂部を当てながら互いに接近する方向に移動させることで、一対の本体部のうちの少なくともどちらか一方の本体部を回転させて連結されることを特徴とする継ぎ手装置。
【請求項２】
離型テープとともに繰り出された粘着テープを、抜き取り部を挟んで所定の長さに切断し、上記抜き取り部を除去してから所定長さに切断された上記粘着テープを基板に貼着する貼着装置であって、
上記粘着テープの上記抜き取り部を除去テープに貼着して除去する抜き取り手段を備え、
上記抜き取り手段は、
回転駆動源が設けられた可動部材と、
上記除去テープが巻回された供給リール、この供給リールから繰り出された除去テープを巻取る巻き取りリール及び上記除去テープの中途部が係合して走行する剥離ヘッドが設けられ上記可動部材に着脱可能に取付けられるベース部材と、
上記可動部材を上下方向に駆動し上記除去テープの上記剥離ヘッドに係合した部分を上記粘着テープの上記抜き取り部に押し当ててこの粘着テープの抜き取り部を上記離型テープから貼着除去させる上下駆動手段と、
上記可動部材に上記ベース部材を取付けたときに上記回転駆動源の回転軸と上記巻き取りリールの被駆動軸を連結する継ぎ手装置を具備し、
上記継ぎ手装置は請求項１記載に記載された構成であることを特徴とする粘着テープの貼着装置。
【請求項３】
上記継ぎ手装置の上記第１の継ぎ手部材と第２の継ぎ手部材を連結するとき、上記巻き取りリールに設けられた第２の継ぎ手部材は、上記供給リールと上記巻き取りリールの間に張設された除去テープが緩む方向に上記巻き取りリールを回転することを特徴とする請求項１記載の粘着テープの貼着装置。
【発明の詳細な説明】
【技術分野】
【０００１】
この発明は回転駆動される駆動軸の回転を従動軸に伝達するための継ぎ手装置及びその継ぎ手装置が用いられた粘着テープの貼着装置に関する。
【背景技術】
【０００２】
たとえば、液晶ディスプレイパネルやプラズマディスプレイパネルに代表されるフラットパネルディスプレイなどの製造工程においては、ガラス製の基板の側部上面に、ＴＣＰ（Tape Carrier Package）などの電子部品を異方性導電性部材からなる粘着テープを介して貼着する工程がある。
【０００３】
上記電子部品を上記基板の側部上面に貼着する前に、基板の側部上面に所定の長さに切断された上記粘着テープを貼着する工程がある。粘着テープは離型テープに貼着されていて、これらは供給リールに巻装されている。
【０００４】
基板の側部上面に電子部品を粘着テープによって貼着する場合、まず、離型テープとともに供給リールから繰り出された粘着テープを切断機構によって抜き取り部を挟んで所定長さに切断する。このときの粘着テープの切断長さは、上記基板の側部上面に設けられた複数の端子からなる端子部の長さに対応する長さに設定される。
【０００５】
ついで、上記粘着テープの抜き取り部を、抜き取り手段の除去テープに貼着させて除去した後、所定長さに切断された上記粘着テープを上記基板の側部上面に貼着するようにしている。このような粘着テープの貼着装置は特許文献１に示されている。
【０００６】
上記抜き取り手段は上下駆動手段によって上下方向に駆動される可動部材を有する。この可動部材にはベース部材が着脱可能に取付けられる。このベース部材には上記除去テープが巻装された供給リール、この供給リールから繰り出された除去テープを巻き取る巻き取りリール、及び上記除去テープの中途部が係合して走行する剥離ヘッドを有する。
【０００７】
そして、上記粘着テープの抜き取り部を上記剥離ヘッドに対向するよう位置決めした後、上記可動部材を上下駆動手段によって上昇させて上記除去テープの上記剥離ヘッドに対向する部分を上記抜き取り部に押圧する。ついで、上記可動部材を下降させれば、上記抜き取り部が上記除去テープに貼着されて除去されるようになっている。
【０００８】
上記構成の抜き取り手段においては、上記可動部材に回転駆動源が設けられ、この可動部材に上記ベース部材を取付けると、上記回転駆動源の駆動軸に、上記巻き取りリールの被駆動軸が継ぎ手装置によって連結される。そして、上記除去テープによって上記粘着テープの上記抜き取り部を貼着除去する毎に、上記回転駆動源が作動させられて上記除去テープが巻き取りリールに所定長さずつ巻き取られるようになっている。
【特許文献１】特開２００８−１５０１４４号公報
【発明の開示】
【発明が解決しようとする課題】
【０００９】
上記可動部材に上記ベース部材を取付けたとき、上記回転駆動源の駆動軸と、上記巻き取りリールの従動軸とを連結する継ぎ手装置として従来は上記駆動軸には内周面にスプライン溝が形成された第１の部材を設け、上記従動軸には外周面にスプラインが設けられた第２の部材を設け、上記スプライン溝に上記スプラインを嵌合させて上記駆動軸に上記従動軸を上記第１、第２の部材を介して連結し、上記回転駆動源の回転を上記巻取りリールに伝達するようにしていた。
【００１０】
しかしながら、スプライン溝にスプラインを嵌合させて上記第１、第２の部材を連結する構造の継ぎ手装置によると、供給リールに巻装された全ての除去テープが使い終わり、未使用の除去テープが巻装された供給リールを有する新たなベース部材に交換する場合、スプライン溝とスプラインが回転方向に対してわずかでも位置がずれていると、上記スプライン溝に対してスプラインを円滑に嵌合させることができないということがある。
【００１１】
したがって、そのような場合、作業者は目視でスプライン溝とスプラインを位置合わせしなければならないから、ベース部材の交換作業に手間が掛かるということがあった。
【００１２】
この発明は、継ぎ手装置の第１の継ぎ手部材と第２の継ぎ手部材の回転方向の位置合わせをせずに、これら継ぎ手部材を円滑かつ確実に連結することができるようにした継ぎ手装置及びその継ぎ手装置を用いた粘着テープの貼着装置を提供することにある。
【課題を解決するための手段】
【００１３】
この発明は、回転駆動源の回転駆動される駆動軸の回転を従動軸に伝達するための継ぎ手装置であって、
上記駆動軸に取付けられる第１の継ぎ手部材と、
上記従動軸に取付けられ上記第１の継ぎ手部材に連結されて上記駆動源の回転を上記従動軸に伝達するための第２の継ぎ手部材を具備し、
上記第１の継ぎ手部材と第２の継ぎ手部材は、
上記各軸に取付けられる取付け孔が形成された本体部と、
上記本体部の端面に周方向に等角度で互いに逆方向に傾斜して形成された２つで対をなす複数対の斜面と、
各斜面の傾斜方向上端となる頂部に対応する部位に上記本体部の軸方向に沿って形成された複数の垂直面を有し、
上記第１の継ぎ手部材と第２の継ぎ手部材は、一方の本体部に形成された複数の斜面に他方の本体部に形成された斜面の頂部を当てながら互いに接近する方向に移動させることで、一対の本体部のうちの少なくともどちらか一方の本体部を回転させて連結されることを特徴とする継ぎ手装置にある。
【００１４】
この発明は、離型テープとともに繰り出された粘着テープを、抜き取り部を挟んで所定の長さに切断し、上記抜き取り部を除去してから所定長さに切断された上記粘着テープを基板に貼着する貼着装置であって、
上記粘着テープの上記抜き取り部を除去テープに貼着して除去する抜き取り手段を備え、
上記抜き取り手段は、
回転駆動源が設けられた可動部材と、
上記除去テープが巻回された供給リール、この供給リールから繰り出された除去テープを巻取る巻き取りリール及び上記除去テープの中途部が係合して走行する剥離ヘッドが設けられ上記可動部材に着脱可能に取付けられるベース部材と、
上記可動部材を上下方向に駆動し上記除去テープの上記剥離ヘッドに係合した部分を上記粘着テープの上記抜き取り部に押し当ててこの粘着テープの抜き取り部を上記離型テープから貼着除去させる上下駆動手段と、
上記可動部材に上記ベース部材を取付けたときに上記回転駆動源の回転軸と上記巻き取りリールの被駆動軸を連結する継ぎ手装置を具備し、
上記継ぎ手装置は請求項１記載に記載された構成であることを特徴とする粘着テープの貼着装置にある。
【００１５】
上記継ぎ手装置の上記第１の継ぎ手部材と第２の継ぎ手部材を連結するとき、上記巻き取りリールに設けられた第２の継ぎ手部材は、上記供給リールと上記巻き取りリールの間に張設された除去テープが緩む方向に上記巻き取りリールを回転することが好ましい。
【発明の効果】
【００１６】
この発明によれば、継ぎ手装置を構成する第１の継ぎ手部材と第２の継ぎ手部材に周方向に等角度で互いに逆方向に傾斜した２つで対を成す複数対の斜面と、複数対の斜面の傾斜方向上端となる頂部に対応する部位に軸方向に沿う複数の垂直面を形成した。
【００１７】
そのため、一対の継ぎ手部材を連結する際、一方の継ぎ手部材の斜面の頂部が他方の継ぎ手部材の斜面に沿って移動しながら一対の継ぎ手部材が相対的に周方向に回転して互いの垂直面が対向して連結されるから、一対の継ぎ手部材の回転方向の位置に係らず、第１の継ぎ手部材と第２の継ぎ手部材を容易かつ確実に連結することができる。
【発明を実施するための最良の形態】
【００１８】
以下、図面を参照しながらこの発明の一実施の形態を説明する。
【００１９】
図１に示す貼着装置は基板ステージ５を備えている。この基板ステージ５はベース６を有し、このベース６の上面にＸ駆動源６ａ、Ｙ駆動源６ｂ及びθ駆動源６ｃによってＸ、Ｙ及びθ方向に駆動されるテーブル７が設けられている。
【００２０】
上記テーブル７上には、液晶ディスプレイパネルなどに用いられる、重ね合わされたガラス製の一対の基板Ｗが供給されて真空吸着される。基板Ｗの上面の一側部には図示しない複数の端子が所定間隔で形成されている。
【００２１】
上記端子には、熱硬化性樹脂によって形成された両面粘着性の異方性導電部材からなる粘着テープ２が後述するように所定の長さに切断されて貼着されるようになっている。
【００２２】
上記粘着テープ２は、図１に示すように透光性の樹脂テープからなる離型テープ８に貼着されて供給リール９に巻かれている。この供給リール９からは粘着テープ２が離型テープ８とともに繰り出され、一対のガイドローラ１１にガイドされて上記テーブル７に載置された上記基板Ｗの端子が設けられた側部上面に対向して走行するようになっている。
【００２３】
上記テーブル７の上方には加圧手段としてのヒータ１３ａを有する加圧ツール１３が上下駆動機構１４によって上下動可能に設けられている。粘着テープ２は、基板ステージ５によって上記粘着テープ２を貼着する貼着位置に位置決めされた基板Ｗと上記供給リール９との間に配設された後述する切断ユニット２３によって所定長さに切断される。
【００２４】
粘着テープ２の所定の長さに切断された部分２ａはテーブル７上に載置された基板Ｗの端子に対向する位置まで搬送されて停止する。停止後に加圧ツール１３が下降することで、上記粘着テープ２の所定長さに切断された部分２ａが基板Ｗの端子に加圧貼着される。その後、離型テープ８は図示しない離型ローラによって基板Ｗに貼着された粘着テープ２から剥離され、巻き取りリール１２に巻き取られるようになっている。
【００２５】
上記粘着テープ２と離型テープ８は、基板ステージ５によって位置決めされた基板Ｗと上記巻き取りリール１２との間に配置された、送り手段としての送り装置２０によって搬送される。この送り装置２０はチャック２１を有し、このチャック２１には離型テープ８を挟持する一対の爪２１ａが開閉可能に設けられている。
【００２６】
上記チャック２１は図示しないガイド体によって回転不能にガイドされている。このチャック２１にはサーボモータ２２ｂによって回転駆動される駆動ねじ２２ａが螺合されていて、この駆動ねじ２２ａが回転駆動されることで、上記チャック２１は直線駆動されるようになっている。
【００２７】
すなわち、上記チャック２１の爪２１ａが離型テープ８を挟持した状態で上記駆動ねじ２２ａを回転駆動し、このチャック２１を図１に矢印Ｘで示す方向へ駆動する。それによって、上記離型テープ８とともに上記粘着テープ２がＸ方向へ搬送され、この粘着テープ２が所定の位置、つまり基板Ｗの端子部１に対向する位置に位置決めされるようになっている。
【００２８】
上記粘着テープ２は基板ステージ５によって所定の位置に位置決めされた基板Ｗよりも搬送方向上流側において、上記切断ユニット２３によって所定の長さに切断される。この切断ユニット２３は、粘着テープ２の供給リール９から引き出されガイドローラ１１によって走行方向が水平走行に変換された部分の下方に先端を対向させて配置されたカッタ２４と、このカッタ２４よりも粘着テープ２の走行方向下流側の下方に対向して配置された抜き取り手段２５から構成されている。上記カッタ２４は図示しない駆動機構によって上下方向に駆動可能となっている。
【００２９】
上記切断ユニット２３は、搬送される粘着テープ２の上面側の上記カッタ２４と抜き取り手段２５とに対向して配置された保持ブロック２６を有する。この保持ブロック２６には離型テープ８を介して上記粘着テープ２の上面を押圧する押し出し部材２７がスライド可能に設けられている。この押し出し部材２７は図示せぬシリンダなどによって所定のタイミングで押圧される。
【００３０】
上記抜き取り手段２５は、図１乃至図３に示すように上下駆動手段としてのシリンダ３１によって上下方向に駆動される矩形板状の可動部材３２を備えている。この可動部材３２の一側面の下端部には一対の位置決め部材３３が水平方向に所定間隔で離間して設けられている。図３に示すように、上記可動部材３２の幅方向一端側の上部には位置決めピン３４及びマグネット３５が設けられている。
【００３１】
さらに、上記可動部材３２の他側面の幅方向他端側の上部には架台３６が設けられ、この架台３６には回転駆動源３７が取付けられている。この回転駆動源３７の回転駆動される駆動軸３８には継ぎ手装置３９を構成する第１の継ぎ手部材４１が取付けられている。
【００３２】
上記可動部材３２には矩形板状のベース部材４３がその下辺を上記一対の位置決め部材３３によって位置決めされて着脱可能に取付けられる。ベース部材４３はアルミニウムなどの非鉄金属によって形成されていて、その背面には上記可動部材３２に設けられたマグネット３５に磁気的に結合する磁性部材４４及び上記位置決めピン３４が嵌合する位置決め孔４５が厚さ方向に貫通して形成されている。
【００３３】
つまり、ベース部材４３は、上記可動部材３２に対して一対の位置決め部材３３、マグネット３５と磁性部材４４の磁気結合及び位置決めピン３４と位置決め孔４５の嵌合によって着脱可能に位置決めされて取付けられるようになっている。
【００３４】
上記ベース部材４３の幅方向の一端部には第１の取付け軸４７が回転可能に設けられ、他端部には被駆動軸としての第２の取付け軸４８が回転可能に取付けられている。上記第１、第２の取付け軸４７、４８は上記ベース部材４３の背面に設けられた軸受４７ａ，４８ａによって回転可能に支持されている。
【００３５】
上記第１の取付け軸４７には樹脂製テープからなる除去テープ５１が巻装された供給リール５２が着脱可能に装着されている。上記第１の取付け軸４７の上記供給リール５２から突出した上端部には第１のホルダ５３が螺着されている。この第１のホルダ５３によって上記供給リール５２が上記第１の取付け軸４７と一体的に回転するよう着脱可能に保持されている。
【００３６】
上記第２の取付け軸４８には巻き取りリール５５が着脱可能に装着されている。上記第２の取付け軸４８の上端部は上記巻き取りリール５５から突出していて、その突出部には第２のホルダ５６が着脱可能に螺着されている。それによって、巻き取りリール５５は上記第２の取付け軸４８と一体的に回転するよう保持されている。
【００３７】
図２に示すように、上記供給リール５２から繰り出された除去テープ５１は、中途部を剥離ヘッド５７に走行可能に係合させたのち、第１のガイドローラ５８と第２のガイドローラ５９にガイドされて上記巻き取りリール５５に巻き取られるようになっている。
【００３８】
上記剥離ヘッド５７は、上記ベース部材４３の幅方向の一端部に先端面をベース部材４３の上端から突出させ、かつその先端面を図１に示すように上記保持ブロック２６に設けられた押し出し部材２７に対向させて設けられている。
【００３９】
上記粘着テープ２には、上記保持ブロック２６よりも送り方向の上流側に設けられた上記カッタ２４によって一対の切断線２ｂが所定間隔で形成される。上記送り装置２０によって搬送位置決めされる粘着テープ２は一対の切断線２ｂによって分離された部分、つまり抜き取り部２ｃが上記保持ブロック２６に対向するよう位置決めされる。
【００４０】
粘着テープ２が位置決めされると、上記可動部材３２がシリンダ３１によって上昇方向に駆動される。それによって、除去テープ５１の上記剥離ヘッド５７の上面に対向する部分が上記粘着テープ２の抜き取り部２ｃに押付けられ、抜き取り部２ｃが除去テープ５１に貼着される。
【００４１】
したがって、上記可動部材３２を下降させれば、図１に示すように上記抜き取り部２ｃが除去テープ５１によって離型テープ８から剥離され、粘着テープ２の抜き取り部２ｃよりも下流側の部分が所定長さの切断された部分２ａとなる。
【００４２】
図３に示すように、上記巻き取りリール５５が取付けられた上記第２の取付け軸４８の下端部は、上記軸受け４８ａから上記ベース部材４３の背面側に突出し、その突出端には上記第１の継ぎ手部材４１とで上記継ぎ手装置３９を構成する第２の継ぎ手部材６１が設けられている。
【００４３】
上記第２の継ぎ手部材６１は、上記ベース部材４３を上記可動部材３２の所定の位置に装着したとき、上記第１の継ぎ手部材４１に後述するように連結される。それによって、上記回転駆動源３７の駆動軸３８の回転が従動軸としての巻き取りリール５５を取付けた第２の取付け軸４８に伝達される。
【００４４】
第２の取付け軸４８が回転駆動されその回転に巻き取りリール５５が連動すると、粘着テープ２の隣り合う切断された部分２ａの間の抜き取り部２ｃを貼着除去した除去テープ５１が上記巻き取りリール５５に巻き取られる。
【００４５】
図４と図５に示すように、上記継ぎ手装置３９を構成する第１、第２の継ぎ手部材４１、６１はそれぞれ円柱状の本体部４１ａ，６１ａを備えている。各本体部４１ａ，６１ａの径方向中心部には軸方向に貫通する取付け孔４１ｂ，６１ｂが穿設されている。
【００４６】
第１の継ぎ手部材４１は取付け孔４１ｂを上記回転駆動源３７の駆動軸３８に嵌合されて図示しない止めねじによって固定され、上記第２の継ぎ手部材６１は取付け孔６１ｂを上記巻き取りリール５５の第２の取付け軸４８に嵌合されて図示しない止めねじによって固定されるようになっている。
【００４７】
各本体部４１ａ，６１ａの先端側の端面には、それぞれ一対の斜面４１ｃ，６１ｃが周方向に１８０度の範囲にわたり逆方向に傾斜して形成されている。各斜面４１ｃ，６１ｃの頂部には平坦面４１ｄ，６１ｄが形成され、この平坦面４１ｄ，６１ｄの端部には本体部４１ａ，６１ａの軸線方向に沿う垂直面４１ｅ，６１ｅが形成されている。
【００４８】
つまり、第１、第２の継ぎ手部材４１、６１にはそれぞれ一対の斜面４１ｃ，６１ｃの傾斜方向上端となる頂部と下端となる底部との境界部分に上記垂直面４１ｅ，６１ｅが形成されている。
【００４９】
このような構成において、抜き取り手段２５のベース部材４３に設けられた供給リール５２の除去テープ５１がなくなり、新たなベース部材４３に交換する場合、使い終わったベース部材４３をシリンダ３１によって上下方向に駆動される可動部材３２から取り外し、新たなベース部材４３を取付ける。
【００５０】
可動部材３２に新たなベース部材４３を取付けると、ベース部材４３の巻取りリール５５を保持した第２の取付け軸４８に設けられた第２の継ぎ手部材６１が可動部材３２に設けられた回転駆動源３７の駆動軸３８に取付けられた第１の継ぎ手部材４１と結合する。
【００５１】
さらに詳しく説明すると、可動部材３２に対してベース部材４３を、一対の位置決め部材３３及び位置決めピン３４によって位置決めしてマグネット３５によって連結する際、ベース部材４３を可動部材３２に接近させると、第１の継ぎ手部材４１の一対の斜面４１ｃに、第２の継ぎ手部材６１の一対の斜面６１ｃの頂部の部分の平坦面６１ｄが当接する。
【００５２】
その状態で、ベース部材４３を可動部材３２にさらに接近させると、第２の継ぎ手部材６１はその頂部が第１の継ぎ手部材４１の斜面４１ｃの傾斜方向上側から下方に向かって移動する方向に回転する。
【００５３】
そして、第２の継ぎ手部材６１の頂部が第１の継ぎ手部材４１の斜面４１ｃの下端に到達すると、第２の継ぎ手部材６１の垂直面６１ｅに、第１の継ぎ手部材４１の垂直面４１ｅが当接し、第1の継ぎ手部材４１と第２の継ぎ手部材６１が連結される。
【００５４】
つまり、ベース部材４３を可動部材３２に取付ける際、第１の継ぎ手部材４１と第２の継ぎ手部材６１の回転方向の位置が正規の結合位置に対してずれていても、各継ぎ手部材４１、６１を接近させることで、ベース部材４３に設けられた第２の継ぎ手部材６１が回転しながら第１の継ぎ手部材４１に連結されるから、第１の継ぎ手部材４１と第２の継ぎ手部材６１の回転方向の位置合わせをせずに、これら継ぎ手部材４１、６１を連結することができる。
【００５５】
第１の継ぎ手部材４１と第２の継ぎ手部材６１を連結するとき、第２の継ぎ手部材６１が回転して第１の継ぎ手部材４１に連結される。第２の継ぎ手部材６１の回転方向はその斜面６１ｃの底部から頂部に向かう方向、つまりその回転方向は巻き取りリール５５に巻き取られた除去テープ５１が緩む方向である。
【００５６】
そのため、第１の継ぎ手部材４１と第２の継ぎ手部材６１を連結する際、供給リール５２と巻き取りリール５５に張設された除去テープ５１にさらに張力が加わることがないから、第２の継ぎ手部材６１が第２の取付け軸４８とともに円滑に回転して第１の継ぎ手部材４１に連結されることになる。
【００５７】
このように、第１の継ぎ手部材４１と第２の継ぎ手部材６１を連結するとき、これら継ぎ手部材４１、６１の斜面を利用し、どちらか一方の継ぎ手部材を回転させて連結するとともに、連結後の回転駆動源３７からの駆動力は各継ぎ手部材４１，６１の垂直面４１ｄ，４１ｅ及び６１ｄ，６１ｅで受けて伝達するので、各継ぎ手部材４１、６１の連結は容易に行え、動力の伝達は確実に行うことができる。
【００５８】
上記一実施の形態では継ぎ手装置の第１の継ぎ手部材と第２の継ぎ手部材を連結するとき、巻き取りリール側の第２の継ぎ手部材を回転させるようにしたが、継ぎ手装置が駆動源の動力を駆動軸から被駆動軸に伝達する一般的な動力伝達に用いる場合、第１の継ぎ手部材と第２の継ぎ手部材のうちの、少なくともどちらか一方が回転すればよい。つまり、両方が回転するようになっていたり、第１の継ぎ手部材だけが回転するような構成であってもよい。
【００５９】
また、各継ぎ手部材の斜面の上部に平坦面を形成したが、平坦面に代わり、斜面の頂部を周方向湾曲した凸状に曲面に形成してもよい。曲面であれば、第１の継ぎ手部材と第２の継ぎ手部材を連結するとき、これらの曲面が当たる位置にあっても、第１の継ぎ手部材或いは第２の継ぎ手部材が周方向に回転するから、第１、第２の継ぎ手部材を連結することが可能となる。
【００６０】
また、第１、第２の継ぎ手部材には互いに１８０度の範囲にわたって逆方向に傾斜して形成された一対の斜面と、本体部の軸方向に沿って形成された一対の垂直面を形成したが、たとえば本体部に２つで対をなす複数対の斜面を周方向に等角度、たとえば２対であれば周方向に９０度の範囲にわたって形成するとともに、斜面の数に応じて複数の垂直面を形成するようにしてもよい。
【図面の簡単な説明】
【００６１】
【図１】この発明の第１の実施の形態を示す粘着テープの貼着装置の概略的構成図。
【図２】所定長さに切断された一対の粘着テープの間に位置する抜き取り部を貼着除去する抜き取り手段のベース部材の正面図。
【図３】抜き取り手段の可動部材とベース部材が分離された状態を下方から見た平面図。
【図４】継ぎ手部材を示す斜視図。
【図５】一対の継ぎ手部材が連結された継ぎ手装置の平面図。
【符号の説明】
【００６２】
２…粘着テープ、３１…シリンダ（上下駆動手段）、３２…可動部材、３７…回転駆動源、３９…継ぎ手装置、４１…第１の継ぎ手部材、４７…第１の取付け軸、４８…第２の取付け軸（従動軸）、５１…除去テープ、５２…供給リール、５５…巻き取りリール、５７…剥離ヘッド、挟みローラ、６２…第２の継ぎ手部材、４１ａ，６１ａ…本体部、４１ｂ，６１ｂ…取付け孔、４１ｃ，６１ｃ…斜面、４１ｅ，６１ｅ…垂直面。
【図１】
2010078011.tif 000003
【図２】
2010078011.tif 000004
【図３】
2010078011.tif 000005
【図４】
2010078011.tif 000006
【図５】
2010078011.tif 000007
【手続補正書】
【提出日】平成20年10月23日(2008.10.23)
【手続補正１】
【補正対象書類名】特許請求の範囲
【補正対象項目名】請求項１
【補正方法】変更
【補正の内容】
【請求項１】
回転駆動源の回転駆動される駆動軸の回転を従動軸に伝達するための継ぎ手装置であって、
上記駆動軸に取付けられる第１の継ぎ手部材と、
上記従動軸に取付けられ上記第１の継ぎ手部材に連結されて上記駆動源の回転を上記従動軸に伝達するための第２の継ぎ手部材を具備し、
上記第１の継ぎ手部材と第２の継ぎ手部材は、
上記各軸に取付けられる取付け孔が形成された本体部と、
上記本体部の端面に周方向に等角度で互いに逆方向に傾斜して形成された２つで対をなす少なくとも一対の斜面と、
各斜面の傾斜方向上端となる頂部に対応する部位に上記本体部の軸方向に沿って形成された複数の垂直面を有し、
上記第１の継ぎ手部材と第２の継ぎ手部材は、一方の本体部に形成された複数の斜面に他方の本体部に形成された斜面の頂部を当てながら互いに接近する方向に移動させることで、一対の本体部のうちの少なくともどちらか一方の本体部を回転させて連結されることを特徴とする継ぎ手装置。
【手続補正２】
【補正対象書類名】明細書
【補正対象項目名】００１３
【補正方法】変更
【補正の内容】
【００１３】
この発明は、回転駆動源の回転駆動される駆動軸の回転を従動軸に伝達するための継ぎ手装置であって、
上記駆動軸に取付けられる第１の継ぎ手部材と、
上記従動軸に取付けられ上記第１の継ぎ手部材に連結されて上記駆動源の回転を上記従動軸に伝達するための第２の継ぎ手部材を具備し、
上記第１の継ぎ手部材と第２の継ぎ手部材は、
上記各軸に取付けられる取付け孔が形成された本体部と、
上記本体部の端面に周方向に等角度で互いに逆方向に傾斜して形成された２つで対をなす少なくとも一対の斜面と、
各斜面の傾斜方向上端となる頂部に対応する部位に上記本体部の軸方向に沿って形成された複数の垂直面を有し、
上記第１の継ぎ手部材と第２の継ぎ手部材は、一方の本体部に形成された複数の斜面に他方の本体部に形成された斜面の頂部を当てながら互いに接近する方向に移動させることで、一対の本体部のうちの少なくともどちらか一方の本体部を回転させて連結されることを特徴とする継ぎ手装置にある。